(57)【要約】【課題】  スライド型端末機の装着の際に本体の側面を固定することにより、前記本体の前方に備えられた蓋体の前面が完全開放されるようにした移動通信端末機用ケースを提供する。【解決手段】  端末機が装着される背板と、前記背板の下端に連結され、前記端末機の前面をカバーするフリップ型カバーとを含む移動通信端末機用ケースにおいて、前記背板の前面には、端末機本体の両側面をそれぞれ固定および解除する固定部材が備えられたことを特徴とする。【選択図】図１
2005329245.tif 000002
【特許請求の範囲】
【請求項１】
端末機が装着される背板と、前記背板の下端に連結され、前記端末機の前面をカバーするフリップ型カバーとを含む移動通信端末機用ケースにおいて、
前記背板の前面には、端末機の本体の両側面をそれぞれ固定および解除する固定部材が備えられたことを特徴とする、移動通信端末機用ケース。
【請求項２】
前記固定部材は、
一側が前記背板上に取り付けられ、他側には前記本体の側面を加圧する支持部が設けられた一対のクランパーと、前記クランパーを付勢する弾性部材とを含むことを特徴とする、請求項１に記載の移動通信端末機用ケース。
【請求項３】
前記弾性部材は、
前記端末機の本体の下側を支持する横支持部と、前記横支持部の両端にそれぞれ一体化され、前記クランパーの支持部の内側に挿入される縦支持部とを含むことを特徴とする、請求項２に記載の移動通信端末機用ケース。
【請求項４】
前記弾性部材は、
前記背板に内蔵されるベースと、前記ベースの両端部に一体化され、前記クランパーを弾性支持する垂直支持部とを含むことを特徴とする、請求項２に記載の移動通信端末機用ケース。
【請求項５】
前記端末機の本体を前記背板上に２次的に固定する補助固定部がさらに備えられたことを特徴とする、請求項１〜４のいずれか１項に記載の移動通信端末機用ケース。
【請求項６】
前記補助固定部は、
前記端末機の本体上に取り付けられる磁石ホログラムと、前記磁石ホログラムと対応する前記背板上の位置に備えられる磁石とを含むことを特徴とする、請求項５に記載の移動通信端末機用ケース。
【請求項７】
前記背板の一側には、前記端末機に装着された回転式カメラと対応する位置に切開部が設けられたことを特徴とする、請求項１〜４のいずれか１項に記載の移動通信端末機用ケース。
【請求項８】
前記支持部には、前記本体の側面の凹部に係合される係止突起が設けられたことを特徴とする、請求項２〜４のいずれか１項に記載の移動通信端末機用ケース。
【発明の詳細な説明】
【技術分野】
【０００１】
本発明は移動通信端末機に用いられる携帯用ケースに係り、より詳しくは、スライド型移動通信端末機を装着して使用することが可能なケースに関するものである。
【背景技術】
【０００２】
一般に、移動通信端末機（以下、「端末機」という）とは、ＰＤＡ(Personal Digital Assistant)や携帯電話、携帯用ＰＣなどを通称するもので、場所に拘らず、無線通信だけでなくネットワーク接続を介しての各種コンピュータ業務を行うことが可能な先端通信機器のことをいう。
【０００３】
近年、端末機を用いてゲームや動画像などの各種マルチメディア機能を楽しむために大型ＬＣＤの搭載が要求されているが、全体積を減らすことが可能で大型ＬＣＤの搭載が容易なスライド型端末機が発売され、脚光を浴びている。
【０００４】
一方、この種の端末機は、各種電子部品が内蔵されているので、外部から直接的な衝撃が加えられる場合には、破損および誤作動が発生するという問題点があり、特にＬＣＤおよびキーボタンなどが外部に露出しているので、携帯過程で各種異物により汚染されるおそれがあった。
【０００５】
これにより、従来にも、端末機をカバーして安全に使用および携帯することができるように構成されたケースが発売されているが、大部分のケースには、端末機を装着するために、前記端末器の前面と側面を取り囲んで固定するポケットが備えられているので、スライド型端末機を装着する場合には端末機の使用に多くの制約があった。
【０００６】
すなわち、スライド型端末機の本体には、スライド方式に開閉される蓋体が備えられているので、前記端末機の装着の際に、ケースに備えられたポケットが前記蓋体の前面をカバーすることにより、前記蓋体の開閉時の作動が非常に不便であるという問題点があった。
【０００７】
また、上端に回転型カメラが付いている端末機の装着の際、カメラを回転させて後方を撮影しようとする場合には、ケースによってレンズの視野が遮られるなどカメラの撮影方向に制約が発生するという問題点があった。
【発明の開示】
【発明が解決しようとする課題】
【０００８】
そこで、本発明はこのような従来の諸般問題点を解決するためのもので、その目的とするところは、スライド型端末機の装着の際に本体の側面を固定することにより、前記本体の前方に備えられた蓋体の前面が完全開放されるようにした移動通信端末機用ケースを提供することにある。
【０００９】
また、本発明の他の目的は、端末機を二重に固定することが可能な移動通信端末機用ケースを提供することにある。
【００１０】
また、本発明の別の目的は、上端に回転型カメラが付いている端末機を装着したとき、ケースによってカメラレンズの視野が遮られることを防止することが可能な移動通信端末機用ケースを提供することにある。
【課題を解決するための手段】
【００１１】
上記課題を解決するために、本発明は、端末機が装着される背板と、前記背板の下端に連結され、前記端末機の前面をカバーするフリップ型カバーとを含む移動通信端末機用ケースにおいて、前記背板の前面には、端末機本体の両側面をそれぞれ固定および解除する固定部材が備えられたことを特徴とする、移動通信端末機用ケースを提供する。
【００１２】
また、端末機の本体を背板上に２次的に固定する補助固定部を備え、前記本体をケース上に二重に固定することを特徴とする。
【００１３】
また、背板の一側には端末機に装着されたカメラと対応する位置に切開部を設け、ケースによってカメラレンズの視野が遮られることを防止することを特徴とする。
【発明の効果】
【００１４】
本発明は、スライド型端末機の装着の際に本体の側面を弾性支持するように構成し、蓋体の前面を完全開放することにより、従来とは異なり、端末機を装着した状態でも蓋体の開閉を容易に行うことができるという効果を持つ。
【００１５】
また、端末機をケースに２次的に固定する補助固定部を備えて端末機を二重に固定することにより、使用過程における端末機の離脱を防止することができるという効果を持つ。
【００１６】
また、上端に回転型カメラが付いている端末機の装着の際、ケースによってカメラレンズの視野が遮られることを防止することにより、後方側を自由に撮影することができるという効果を持つ。
【発明を実施するための最良の形態】
【００１７】
上述した本発明の様相は、添付図面を参照しながら説明される好適な実施例によってさらに明確になるであろう。以下、好適な実施例によって、当業者が本発明を容易に理解しかつ再現することができるように詳細に説明する。
【００１８】
図１は本発明の第１実施例を示す斜視図、図２は図１による使用状態を示す斜視図である。図示されているように、本発明に係るケース１は、端末機１００が装着される背板１０と、前記背板の下端に連結され、前記端末機の前面をカバーするフリップ型カバー２０とからなり、前記背板の背面には磁石１１が備えられ、前記カバーの端部には前記磁石に対応する止め具３１が付いているストラップ３０が備えられる。
【００１９】
この際、前記端末機１００は、図２に示すように、本体１１０の前方側に、スライド方式で開閉される蓋体１２０が備えられたスライド型端末機である。また、ケース１の背板１０には、前記本体の両側面をそれぞれ固定および解除する固定部材が備えられている。
【００２０】
前記固定部材は、一側が背板１０の前面に取り付けられ、他側には本体１００の側面を加圧する支持部４１ａ、４１ｂが設けられた一対のクランパー４０ａ、４０ｂと、前記クランパーを付勢して前記本体の装着の際に堅固に固定する弾性部材とから構成される。
【００２１】
これにより、ケース１への端末機１００の装着の際に支持部４１ａ、４１ｂが本体１１０の側面を加圧する方式で固定がなされるので、前記本体の前方に備えられた蓋体１２０の前面が完全開放され、容易に開閉を行うことができる。
【００２２】
一方、前記弾性部材は、「コ」字状に折り曲げられたバータイプのスプリングであって、端末機１００の本体１１０の下側を支持する横支持部４２０と、前記横支持部の両端にそれぞれ一体化され、クランパー４０ａ、４０ｂの支持部４１ａ、４１ｂの内側に挿入される縦支持部４２１ａ、４２１ｂとから構成される。
【００２３】
この際、前記縦支持部４２１ａ、４２１ｂは、端部が内方に傾くように折り曲げられることにより、端末機の装着の際に支持部４１ａ、４１ｂが本体１１０の側面を強く圧迫して端末機を堅固に固定するようにする。
【００２４】
図３は本発明の第２実施例を示す一部切開斜視図であって、上述した弾性部材の他の実施例を示す。図３に示すように、クランパー４０ａ、４０ｂを付勢する弾性部材は、背板１０に内蔵され、スチル素材の板ばねからなるベース４２２と、前記ベースの両端に一体化され、前記クランパーを弾性支持する垂直支持部４２３ａ、４２３ｂとから構成される。
【００２５】
この際、前記ベース４２２は、背板１０に固定され、垂直支持部４２３ａ、４２３ｂは、クランパー４０ａ、４０ｂの内側に挿入され、端部が支持部４１ａ、４１ｂ側に折り曲げられている。
【００２６】
これにより、クランパー４０ａ、４０ｂの間に端末機の本体を挟むと、垂直支持部４２３ａ、４２３ｂの弾性力によって支持部４１ａ、４１ｂが前記本体の両側面を加圧して端末機を堅固に固定する。
【００２７】
図４は本発明の第３実施例を示す斜視図である。図４に示すように、本実施例に係るケースは、上述した第１実施例または第２実施例の構成を全て含み、特に端末機１００の本体１１０をケースの背板１０上に２次的に固定する補助固定部をさらに備えたことを特徴とする。
【００２８】
前記補助固定部は、本体１１０の背面に取り付けられる磁石ホログラム（図示せず）と、前記磁石ホログラムと対応する背板１０上の位置に備えられる磁石５０とから構成される。
【００２９】
これにより、端末機１００の装着の際、支持部４１ａ、４１ｂが本体１００の側面を加圧することにより１次的な固定がなされ、前記本体に備えられた磁石ホログラムが背板１０側の磁石５０に付着されることにより２次的な固定がなされるので、不要な離脱を防止することができる。
【００３０】
一方、通常の端末機は、本体１１０の側面に、充電器に固定するための凹部が設けられているが、図４に示すように、支持部４１ａ、４１ｂ上に、前記凹部と対応する係止突起４１０ａ、４１０ｂを形成すると、端末機をさらに堅固に固定することができる。
【００３１】
図５は本発明の第４実施例を示す斜視図である。図５に示すように、本実施例に係るケースは、上述した第１実施例または第２実施例の構成を全て含み、特に背板１０の一側には、端末機１００に装着されたカメラ１３０と対応する位置に切開部１２が設けられていることを特徴とする。
【００３２】
この際、カメラ１３０は、端末機１００の蓋体１２０の上端に回転可能に装着されているが、前記蓋体を押し上げていない状態で前記カメラを回転させる場合でも、従来とは異なり、切開部１２によってレンズの視野が遮られないので、後方側を自由に撮影することができる。
【００３３】
以上、本発明は図示した実施例を参考として説明されたが、これら実施例は例示的なものに過ぎないことは言うまでもない。当該技術分野で通常の知識を有する者であれば、特許請求の範囲に記載された範疇内において、各種の変更例または修正例に想到し得ることを理解するであろう。よって、本発明の真正な技術的保護範囲は、特許請求の範囲によってのみ定められるべきである。
【図面の簡単な説明】
【００３４】
【図１】本発明の第１実施例を示す斜視頭である。
【図２】図１による使用状態を示す斜視図である。
【図３】本発明の第２実施例を示す一部切開斜視図である。
【図４】本発明の第３実施例を示す斜視図である。
【図５】本発明の第４実施例を示す斜視図である。
【符号の説明】
【００３５】
１  ケース
１０  背板
１１  磁石
１２  切開部
２０  フリップ型カバー
３０  ストラップ
３１  止め具
４０ａ、４０ｂ  クランパー
４１ａ、４１ｂ  支持部
５０  磁石
４１０ａ、４１０ｂ  固定突起
４２０  横支持部
４２１ａ、４２１ｂ  縦支持部
４２３ａ、４２３ｂ  垂直支持部
１００  端末機
１１０  本体
１２０  蓋体
１３０  カメラ
【図１】
2005329245.tif 000003
【図２】
2005329245.tif 000004
【図３】
2005329245.tif 000005
【図４】
2005329245.tif 000006
【図５】
2005329245.tif 000007